(57)【要約】【課題】十分な熱量を、外部へ供給又は外部から奪い、かつ、重量増加の抑制が可能な蓄熱体及び温度調整装置を提供する。【解決手段】蓄熱体（１）は、中空形状を有する第１の被覆部材（２）と、第１の被覆部材（２）の内部に配され第１の被覆部材（２）の裏面を覆う第２の被覆部材（４）と、第１の被覆部材（２）及び第２の被覆部材（４）の間に充填されている蓄熱材３とを備えている。【選択図】図１
2014066415.tif 000002
【特許請求の範囲】
【請求項１】
中空形状を有する第１の被覆部材と、当該第１の被覆部材の内部の一部に配されている蓄熱材とを備えていることを特徴とする蓄熱体。
【請求項２】
上記第１の被覆部材の内部に配され上記第１の被覆部材の裏面を覆う第２の被覆部材を備え、
上記蓄熱材は、上記第１の被覆部材と上記第２の被覆部材との間に充填されていることを特徴とする請求項１に記載の蓄熱体。
【請求項３】
上記蓄熱材は潜熱蓄熱材であり、
上記第２の被覆部材の内部に、上記蓄熱材より比重が軽い材質が充填されていることを特徴とする請求項２に記載の蓄熱体。
【請求項４】
上記第２の被覆部材の内部は中空であることを特徴とする請求項２又は３に記載の蓄熱体。
【請求項５】
上記第２の被覆部材は中空形状を有し、
上記第２の被覆部材の内部には、上記第２の被覆部材の形状を保持し、上記蓄熱材より比重が軽い構造体が配されていることを特徴とする請求項２又は３に記載の蓄熱体。
【請求項６】
請求項１〜５の何れか１項に記載の蓄熱体を複数個と、凹部を有し当該凹部に上記複数の蓄熱体が配された容器と、を備えていることを特徴とする温度調整装置。
【請求項７】
上記容器は熱源を備え、
上記蓄熱材は、固体と液体との間で相変化する際の温度により、熱を人体に供給可能な材料からなることを特徴とする請求項６に記載の温度調整装置。
【請求項８】
上記蓄熱材は、固体と液体との間で相変化する際の温度により、人体から熱を奪うことが可能な材料からなることを特徴とする請求項６に記載の温度調整装置。
【請求項９】
上記容器の上記凹部内の底面に構造体が配されており、上記複数の蓄熱体は上記構造体の外部又は内部の何れかに配されていることを特徴とする請求項６〜８の何れか１項に記載の温度調整装置。
【請求項１０】
上記複数の蓄熱体は、同一の体積であり、球形状であることを特徴とする請求項６〜９の何れか１項に記載の温度調整装置。
【請求項１１】
上記容器の上記凹部内に、複数の断熱材が配されていることを特徴とする請求項６〜１０の何れか１項に記載の温度調整装置。
【請求項１２】
上記容器の上記凹部の少なくとも一部を覆うための、断熱材を有する蓋を備えていることを特徴とする請求項６〜１１の何れか１項に記載の温度調整装置。
【請求項１３】
上記複数の蓄熱体は、第１の体積からなる蓄熱体と、当該第１の体積とは異なる第２の体積からなる蓄熱体とを備えていることを特徴とする請求項６〜９、１１、１２の何れか１項に記載の温度調整装置。
【請求項１４】
上記複数の蓄熱体は、表面のうち少なくとも一部が、球形状より表面の湾曲がなだらかであるか、又は平面となっている形状を有する蓄熱体を少なくとも備えていることを特徴とする請求項６〜９、１１〜１３の何れか１項に記載の温度調整装置。
【請求項１５】
太陽光の熱を集める集熱板と、
上記集熱板と上記容器の上記凹部とを接続する配管と、を備えていることを特徴とする請求項６〜１４の何れか１項に記載の温度調整装置。
【請求項１６】
地中に延設され、当該地中の温度によって、内部の空気を加温又は冷却するための第１の配管と、
上記第１の配管と、上記容器の上記凹部とを接続する第２の配管とを備えていることを特徴とする請求項６〜１５の何れか１項に記載の温度調整装置。
【発明の詳細な説明】
【技術分野】
【０００１】
本発明は熱源として使用可能な蓄熱体及びその蓄熱体を備えた温度調整装置に関する。
【背景技術】
【０００２】
特許文献１には、乾式足湯装置が開示されている。上記乾式足湯装置では、両足を収容する容器の側壁内面と底面上に発熱体が設けられていると共に、その容器の底面上に潜熱型の蓄熱材を収容した蓄熱マットが敷設されている。そして、容器内の空間部分を埋めるように、球形状の複数の小片が充填されている。
【０００３】
そして、ユーザが両足を容器内に収納すると、その両足は容器内の複数の小片に覆われることになる。
【０００４】
この小片は、合成樹脂発泡体からなる断熱材である。小片は、容器の側壁内面と底面上に設けられた発熱体や、底面上に敷設された蓄熱マットからの熱を保温する保温部材として機能し、容器内に収納された両足が温められる。
【０００５】
また、非特許文献１には、外側に配された袋の内部に潜熱蓄熱材が充填された携帯カイロが開示されている。
【先行技術文献】
【特許文献】
【０００６】
【特許文献１】特開２００８‐２８４０４０号公報（２００８年１１月２７日公開）
【非特許文献】
【０００７】
【非特許文献１】株式会社パルメトリクス、"テクニカルノート  No.TN-37/1,NoTN-36/2  3-April '08"、［online］、２００８年４月３日、［２０１２年９月６日検索］、インターネット＜URL：http://www.palmetrics.co.jp/_userdata/Technical%20note%20TN-37.pdf＞
【非特許文献２】木賀  大悟、"ノルマルパラフィンエマルション型潜熱材料"、ＨＡＲＩＭＡ Quarterly,No.88,2006、［online］、２００６年、［２０１２年９月６日検索］、インターネット＜URL：http://www.harima.co.jp/images/uploads/20080425222950_516e173c238984d4d73fad902c221baa.pdf＞
【非特許文献３】蓄熱技術ハンドブック、住化プラステック株式会社  ホームページ、［２０１２年９月６日検索］、インターネット＜http://www.sumikapla.co.jp/yukadanbo/ideabox/idea_handbook0202.html＞
【発明の概要】
【発明が解決しようとする課題】
【０００８】
しかしながら、特許文献１の乾式足湯装置で用いられている小片は、合成樹脂発泡体からなる断熱材であり、小片自体から、容器に収納された両足に熱を供給することはできない。このため、特許文献１の乾式足湯装置では、容器に収納された両足に十分な熱量を供給することができないという問題がある。
【０００９】
さらに、特許文献１の乾式足湯装置では、容器に収納された両足を加温することができても、逆に冷却することはできないという問題が生じる。
【００１０】
また、非特許文献１の携帯カイロでは、潜熱蓄熱材は、外側を覆う袋の内部全てに充填されているため、重くなるという問題がある。
【００１１】
本発明は上記の問題点を解決するためになされたもので、その目的は、十分な熱量を、外部へ供給又は外部から奪い、かつ、重量増加の抑制が可能な蓄熱体及び温度調整装置を提供することである。
【課題を解決するための手段】
【００１２】
上記の課題を解決するために、本発明の一態様に係る蓄熱体は、中空形状を有する第１の被覆部材と、当該第１の被覆部材の内部の一部に配されている蓄熱材とを備えている。
【発明の効果】
【００１３】
本発明の一態様によれば、十分な熱量を、外部へ供給又は外部から奪い、かつ、重量増加の抑制が可能であるという効果を奏する。
【図面の簡単な説明】
【００１４】
【図１】本発明の一実施形態に係る蓄熱体の構成を表す断面図である。
【図２】本発明の第１の実施形態に係る堀型温度調整装置の構成の概約を、斜視方向から表す図である。
【図３】本発明の第１の実施形態に係る堀型温度調整装置の構成を表す断面図である。
【図４】約４０℃で固体と液体との間で相変化する潜熱蓄熱材の温度遷移の様子を表す図である。
【図５】非特許文献１に記載の、凝固点が５０℃に調整された酢酸ナトリウム水和物の相変化の様子を表す図である。
【図６】複数の蓄熱体が袋に詰められた蓄熱ユニットの構成を表す図である。
【図７】非特許文献２に記載の、融点２５℃のノルマルパラフィンエマルションのＤＳＣ測定結果を表す図である。
【図８】非特許文献２に記載の、融点２５℃のノルマルパラフィンエマルションの保冷効果を示す図である。
【図９】本発明の一実施形態に係る蓄熱体の構成を表す断面図である。
【図１０】本発明の第２の実施の形態に係る堀型温度調整装置の構成を概略的に説明する図である。
【図１１】（ａ）は柱状の構造体とその外部に蓄熱体が配されている容器を有する堀型温度調整装置の構造を表す断面図であり、（ｂ）は柱状の構造体とその内部に蓄熱体が配されている容器を有する堀型温度調整装置の構造を表す断面図である。
【図１２】（ａ）は容器の凹部内に複数の蓄熱体に加え複数の断熱体が充填された堀型温度調整装置を表す断面図であり、（ｂ）は容器内に複数の異なる体積を有する蓄熱体が充填された堀型温度調整装置を表す断面図であり、（ｃ）は容器内に複数の異なる形状を有する蓄熱体が充填された堀型温度調整装置を表す断面図である。
【図１３】本発明の第３の実施の形態に係る太陽熱を利用する堀型温度調整装置の構成を概略的に表す図である。
【図１４】本発明の第３の実施の形態に係る地熱を利用する堀型温度調整装置の構成を概略的に表す図である。
【図１５】本発明の一実施形態に係る変形例の蓄熱体の構成を表す断面図である。
【図１６】本発明の一実施形態に係る変形例の蓄熱体の構成を表す断面図である。
【発明を実施するための形態】
【００１５】
〔実施形態１〕
以下、本発明の第１の実施の形態について説明する。
【００１６】
（堀型温度調整装置の構成）
本発明の容器型の温度調整装置は、容器の内部に挿入された物体を加温したり、冷却したりすることが可能な温度調整装置である。
【００１７】
まず、図２、及び図３を用いて、本発明の一実施形態に係る堀型温度調整装置（温度調整装置）１０の全体の構成について説明する。
【００１８】
図２は本発明の第１の実施形態に係る堀型温度調整装置１０の構成の概略を、斜視方向から表す図である。
【００１９】
図３は本発明の第１の実施形態に係る堀型温度調整装置１０の構成を表す断面図である。
【００２０】
本実施の形態では、主に、堀型温度調整装置１０は、家や建物等の床ＦＬに設けられ、挿入された両足を温めるための暖房装置であるものとして説明する。
【００２１】
堀型温度調整装置１０は、内部に蓄熱材を有する複数の蓄熱体１と、複数の蓄熱体１が内部に充填された容器１１とを備えている。容器１１を構成する側壁及び底部内には、一又は複数の熱源１２及び断熱材１３が配されている。また、堀型温度調整装置１０は、容器１１上に配された蓋１４を備えていてもよい。
【００２２】
容器１１は、床ＦＬの表面から凹形状となるように、床ＦＬに設けられた開口部に挿入されている。そして、床ＦＬ上には、容器１１を覆って、布団を有するテーブルＴＢが配されている。このようにして、堀型温度調整装置１０は、堀ゴタツとして使用可能である。
【００２３】
または、堀型温度調整装置１０は、湯を使用せず、足ｆを温めることが可能な乾式の足湯装置であると表現することもできる。この場合、テーブルＴＢは無くてもよい。
【００２４】
この堀型温度調整装置１０によると、ユーザに、暖房に適した温度の熱を供給し、ユーザの快適性を向上させることができる。また、風呂のようなリラックス効果の高い暖房を得ることができる。
【００２５】
容器１１の内部は、上部が一面開口されており、容器１１の側壁及び底部で囲まれることで凹部が形成されている。
【００２６】
この容器１１の上部の開口の少なくとも一部を覆うように、断熱材を有する蓋１４を配してもよい。蓋１４は、ユーザが両足ｆを容器１１に出し入れできる程度に容器１１の上部を開口して、容器１１の上部を覆う。これにより、利便性を損なうことなく、容器１１内の保温効果を高めることができる。なお、蓋１４は、蛇腹状や折りたたみ式にする等、ユーザが堀型温度調整装置１０を使用しないときには、容器１１の上部の開口一面を完全に覆うことができるように、面積を広げることができる構造であることが好ましい。
【００２７】
また、蓋１４は、容器１１の上部一面を覆う面積を有し、ユーザが容器１１の凹部内の蓄熱を開始してから、堀型温度調整装置１０を使用するまでの間だけ、容器１１の凹部を覆うように容器１１上に配されてもよい。そして、ユーザが堀型温度調整装置１０を使用する際は、蓋１４は、容器１１上から取り除かれる。
【００２８】
これにより、利便性を損なうこと無く、容器１１の蓄熱速度を向上させることができる。
【００２９】
容器１１内の凹部は、ユーザの足ｆのうち膝下より下方が挿入できる程度の深さと、両方の足ｆが挿入できる程度の面積を有している。容器１１内の凹部の容量は、使用人数にもよるが、一例として、縦の長さ×横の長さ×深さ（高さ）＝１００ｃｍ×１００ｃｍ×４０ｃｍ＝４００Ｌ（リットル）程度であるものとする。なお、容器１１内の凹部の容量は、これに限定されるものではない。
【００３０】
熱源１２は、容器１１内の凹部に熱を供給するものである。熱源１２は、容器１１の側壁内及び底部内に配されている。熱源１２は、容器１１の側壁内のうち、内側の側面１１ａ（上記凹部を形成する面）近傍に配されている。また、熱源１２は、容器１１の底部内のうち、表面１１ｂ（上記凹部を形成する底面）近傍に配されている。
【００３１】
熱源１２は、一例として、ヒータである。なお、熱源１２は、本実施の形態では、容器１１の側壁及び底部の全てに配されているものとして説明するが、これ限定されず、熱源１２は、容器１１の側壁内及び底部内の何れか一つにのみ配されていてもよい。
【００３２】
熱源１２は、蓄熱体１内の潜熱蓄熱材の融点温度より若干高い温度の熱を容器１１内の凹部に供給可能であればよい。一例として、蓄熱体１内の潜熱蓄熱材の融点温度が４０℃程度であれば、熱源１２は、約４５℃程度の温度の熱を容器１１内の凹部に供給可能であればよい。
【００３３】
断熱材１３は、容器１１内を保温するための断熱材である。断熱材１３は、容器１１の側壁内及び底部内であって、熱源１２より外側に配されている。断熱材１３は熱源１２を含め容器１１内の凹部を外側から囲むように配されている。
【００３４】
断熱材１３は、一例として合成樹脂発泡材からなる。なお、断熱材１３の材質は合成樹脂発泡材に限定されず、容器１１内を保温可能な材料であればよい。
【００３５】
蓄熱体１は、容器１１内に挿入された足ｆと接触し、その足ｆに熱を供給することで、足ｆを温めるものである。
【００３６】
蓄熱体１は、内部に潜熱蓄熱材を有し、その潜熱蓄熱材が、熱源１２から供給された熱により固体から液体へ相変化する。蓄熱体１は、この潜熱蓄熱材が固体から液体へ相変化する際、ほぼ一定の温度の熱を外部に発することで、蓄熱体１と接触するユーザの足ｆに、長時間、ほぼ一定温度の熱の供給が可能である。すなわち、蓄熱体１は、足ｆに熱を供給する熱源として機能する。
【００３７】
このように、堀型温度調整装置１０では、容器１１内の凹部に挿入された足ｆと接触する複数の蓄熱体１それぞれから、直接足ｆへ熱の供給が可能であるため、十分な熱量を足ｆに加えることができる。
【００３８】
また、この蓄熱体１内の潜熱蓄熱材の種類を選択することで、蓄熱体１を、暖房用の熱源として用いたり、冷房用の冷気供給源として用いたりすることができる。
【００３９】
なお、蓄熱体１の内部に配されている蓄熱材は、上述のように、長時間、ほぼ一定温度の熱の供給が可能であるため潜熱蓄熱材であることが好ましいが、これに限定されず、潜熱蓄熱材に換えて、例えば、一般的な化学蓄熱材等を用いてもよい。これによっても、熱源としての蓄熱体１を構成することができる。
【００４０】
（蓄熱体１）
次に、図１、図４、及び図５等を用いて蓄熱体１について具体的に説明する。
【００４１】
図１は、蓄熱体１の構成を表す断面図である。
【００４２】
図１に示すように蓄熱体１は、中空形状を有する第１の被覆部材２と、第１の被覆部材２の内部に配されており第１の被覆部材２の裏面を覆う第２の被覆部材４と、第１の被覆部材２と第２の被覆部材４との間に充填されている蓄熱材３と、を備えている。
【００４３】
蓄熱材３及び第２の被覆部材４は、第１の被覆部材２内に配されている。第２の被覆部材４は中空形状を有している。
【００４４】
第１の被覆部材２と、第２の被覆部材４との間の空間は密封されている。蓄熱材３は、この第１の被覆部材２と、第２の被覆部材４との間の空間にのみ充填されている。第２の被覆部材４内は空洞であり中空部（断熱材）５となっている。すなわち、第２の被覆部材４内に空気が配されている。第１の被覆部材２と、第２の被覆部材４とは、接続部４ａによって接続されている。接続部４ａ内には、第１の被覆部２及び第２の被覆部４を貫通する開口部が形成されており、この接続部４ａ内の開口部を介して、中空部５へと空気の供給が可能である。接続部４ａは第２の被覆部材４と同じ材質から構成することができる。
【００４５】
蓄熱体１は、外側が第１の第１の被覆部材２によって囲まれており、一例として球形状を有する。なお、蓄熱体１は、球形状以外の形状であってもよい。
【００４６】
第１の被覆部材２は、ある程度の強度を有し、下層に配された蓄熱材３が外部に漏れることを防止することができ、蓄熱材３からの熱を外部に供給可能な程度の伝熱性を有する材質からなる。第１の被覆部材２は、一例として、ポリエチレンテレフタレート（PET）からなる。
【００４７】
また、この第１の被覆部材２の外側に革素材を貼り付けてもよい。または、ユーザの足ｆと接触した際の肌触りをよくするために、第１の被覆部材２の外側を柔らかい布等で覆ってもよい。また、第１の被覆部材２を、蓄熱材３の温度によって色が変化する材質から構成してもよい。
【００４８】
第２の被覆部材４は、第１の被覆部材２との間の空間に配された蓄熱材３の漏れを防止することができる材質からなる。
【００４９】
第２の被覆部材４は、第１の被覆部材２と同様の材質から構成することができ、一例として、ポリエチレンテレフタレート（PET）からなる。
【００５０】
または、第２の被覆部材４は、例えば合成樹脂発泡材等から構成することで断熱材としてもよい。
【００５１】
蓄熱材３は、一例として潜熱蓄熱材であるものとして説明する。蓄熱体１を、暖房用の熱源として用いる場合、人体の体温より若干高い温度の融点や凝固点を有する潜熱蓄熱材によって蓄熱材３を構成する。これにより、蓄熱材３は、固体と液体との間で相変化する際の温度により、熱を人体に長時間供給することができる。
【００５２】
図４は、約４０℃で固体と液体との間で相変化する潜熱蓄熱材の温度遷移の様子を表す図である。図４に示すグラフでは、横軸は潜熱蓄熱材へ与える熱量を表し、縦軸は潜熱蓄熱材の温度を表している。
【００５３】
図４に示すように、蓄熱材３を、約４０℃で固体と液体との間で相変化する潜熱蓄熱材で構成した場合、蓄熱材３が温度変化する際、約４０℃で温度が一定となる時間が長くなる。このため、この約４０℃の熱を、第１の被覆部材２を介して蓄熱材３から外部に、長時間供給が可能となる。
【００５４】
一例として、蓄熱材３は、酢酸ナトリウム水和物（融点５８°）、又は、非特許文献１に記載されているような、酢酸ナトリウム水和物に水が加えられることで凝固点が５０℃に調整された潜熱蓄熱材等から構成することができる。
【００５５】
蓄熱材３を、非特許文献１に記載されているような、酢酸ナトリウム水和物（融点５８°）に少量の水を加えることで凝固点が５０℃に調整された潜熱蓄熱材から構成することで、蓄熱材３の温度を５０℃で長時間一定とし、長時間、一定温度の熱を外部に供給することができる。
【００５６】
図５は、凝固点が５０℃に調整された酢酸ナトリウム水和物の相変化の様子を表す図である。図５は非特許文献１に記載されたグラフであり、凝固点が５０℃に調整された潜熱蓄熱材の約２ｇを、１５℃、３０℃、及び４４℃で結晶化させたときの発熱のプロファイルを表している。
【００５７】
（蓄熱体１及び堀型温度調整装置１０による主な利点）
以上のように、蓄熱体１によると、中空形状を有する第１の被覆部材２内に蓄熱材である蓄熱材３が配されているため、蓄熱体１を熱源として機能させることができる。特に、蓄熱材３は潜熱蓄熱材であるため、固体及び液体間の相変化する際の温度の熱を、長時間外部に供給することができる。
【００５８】
堀型温度調整装置１０では、この蓄熱体１を複数個、容器１１の凹部内に配する。すると、その容器１１の凹部に挿入されたユーザの足ｆに、複数の蓄熱体１が直接接触することになるため、足ｆと複数の蓄熱体１との接触面積は大きくなる。
【００５９】
そして、蓄熱体１は、熱源１２と共に、足ｆへ熱を供給する熱源として機能するため、十分な熱量を、複数の蓄熱体１から足ｆへ供給することができる。このため、十分に、また長時間、足ｆを加温することができる。
【００６０】
さらに、蓄熱体１では、第１の被覆部材２内には、第１の被覆部材２の裏面を覆う第２の被覆部材４が配されている。そして、蓄熱材３は、第１の被覆部材２内全てに充填されているのではなく、第１の被覆部材２と、第２の被覆部材４との間に充填されている。第２の被覆部材４によって蓄熱材３が仕切られることで、第２の被覆部材４内は中空部５が設けられている。この中空部５には、蓄熱材３より比重が軽い空気が充填されており、蓄熱材３は、第２の被覆部材４内には配されていない。
【００６１】
このように、蓄熱体１は、第１の被覆部材内全てに蓄熱材が充填される場合と比べて、第１の被覆部材２内に配されている蓄熱材３の体積が少ない。これにより、蓄熱体１の重量の増加を抑制している。すなわち、蓄熱体１の軽量化することができる。
【００６２】
このように、堀型温度調整装置１０では、重量の増加が抑制された複数の蓄熱体１が容器１１内に配されているため、ユーザが足ｆを容器１１に挿入させた際に、複数の蓄熱体１から足ｆへ加わる負荷は少なくて済み、ユーザへの負荷を抑制することができる。
【００６３】
一例として、蓄熱体１は、半径が５ｃｍの球形状であり、中空部５の半径が４．８ｃｍであるものとする。すると、第１の被覆部材２と、第２の被覆部材４との間に配された蓄熱材３の体積は約６０ｃｍ３となる。蓄熱材３の比重を０．８ｇ／ｃｍ３とすると、蓄熱材３の重さは４８ｇ程度となる。このように、蓄熱体１は、足ｆへの負荷が気にならない程度に十分に軽量化することができる。
【００６４】
また、蓄熱材３の重さを４８ｇとした場合、容器１１の凹部内に蓄熱体１を約１５ｋｇ分入れるとすると、約３１０個程度、容器１１の凹部内に入ることになる。なお、ここでは、第１の被覆部材２及び第２の被覆部材４の重さは考慮していない。
【００６５】
蓄熱材３の蓄熱量を、２００Ｊ／ｇとすると、容器１１の凹部内に３ＭＪの蓄熱をすることができる。
【００６６】
このように、蓄熱体１によると、第１の被覆部材２と、第２の被覆部材４との間にのみ蓄熱材３が充填されていたとしても、容器１１の凹部内に十分な熱量を蓄熱することができる。
【００６７】
このため、例えば、夜通し使用する等、長時間、堀型温度調整装置１０を使用することができる。
【００６８】
また、中空部５に充填されている空気は断熱材として機能する。これにより、蓄熱体１の重量増加を抑制しつつ、第１の被覆部材２を介して、蓄熱材３から外部に効率よく熱を供給することができる。
【００６９】
また、堀型温度調整装置１０によると、足ｆは、熱源１２からの直接的な輻射だけでなく、複数の蓄熱体１によっても加温されるため、この蓄熱体１を容器１１内から取り除いたり、又は、容器１１内へさらに加えたりする等により、容器１１内の温度調整をすることができる。このため、堀型温度調整装置１０によると、特許文献１の足湯装置等と異なり、容器１１内の温度調整が容易である。
【００７０】
また、例えば、容器１１内に、蓄熱体１を配さず、熱源１２だけで足ｆに熱を加える場合は、熱が逃げ易くエネルギーの無駄が多い。一方、堀型温度調整装置１０によると、容器１１内に蓄熱体１が複数配され、容器１１の凹部内に充填されているため、熱源１２からの熱が、容器１１の外に逃げることを防止することができ、エネルギーを有効活用することができる。
【００７１】
また、特に、図２、図３に示すように、容器１１の凹部内に配される複数の蓄熱体１は球形状であり、かつ、同一の体積（換言すると同一の大きさ）であることが好ましい。これにより、容器１１の凹部内であって複数の蓄熱体１間に十分な隙間を形成することができるためである。これにより、容器１１の凹部内に挿入された足ｆに対する負荷を、さらに低減することができ、この結果、ユーザへの負荷を低減することができる。
【００７２】
また、ユーザは、容器１１の凹部内に挿入した足ｆを動かす場合も、蓄熱体１が邪魔になりにくく、ユーザは自由に足ｆを動かすことができる。
【００７３】
また、蓄熱体１の形状や硬さを変更することで、ユーザの足ｆへのマッサージ効果を得ることもでき、ユーザの健康を促進させることも可能である。
【００７４】
図６は、複数の蓄熱体１が袋に詰められた蓄熱ユニット２０の構成を表す図である。
【００７５】
図６に示すように、複数の蓄熱体１を、複数個、例えば網目状の袋２１に詰めて、複数の蓄熱体１を一対とする蓄熱ユニット２０として用いてもよい。この蓄熱ユニット２０を単体として使用してもよいし、容器１１の凹部内に入れて使用してもよい。これにより、個別に容器１１の凹部内に蓄熱体１を入れる場合と比べて、扱い易く、ユーザの利便性を向上させることができる。
【００７６】
（冷房用として使用する場合）
次に、図７、図８等を用いて、堀型温度調整装置１０を、冷房用の温度調整装置として使用する場合について説明する。
【００７７】
堀型温度調整装置１０を冷房用の温度調整装置として使用する場合、容器１１内に配する蓄熱体１内の蓄熱材３の種類が異なる。
【００７８】
なお、堀型温度調整装置１０を冷房用の温度調整装置として使用する場合でも、堀型温度調整装置１０の装置構造自体は、図２、３等を用いて説明した構造と同様である。但し、熱源１２は省略してもよい。また、容器１１の近傍に、容器１１の凹部内に冷却された空気を送るため、例えば、一般的なエアコン等のように、コンプレッサと、そのコンプレッサで圧縮された空気を冷却する送風機等を有する冷却装置を備えてもよい。また、容器１１の上部に蓋１４を設けてもよい。
【００７９】
堀型温度調整装置１０を冷房用の温度調整装置として使用する場合、蓄熱材３を、固体と液体との間で相変化する際の温度により、人体から熱を奪うことが可能な潜熱蓄熱材料から構成する。すなわち、人体の体温より若干低い温度の融点や凝固点を有する潜熱蓄熱材によって蓄熱材３を構成する。
【００８０】
これにより、容器１１内に配された複数の蓄熱体１を、ユーザの足ｆから熱を奪う熱源、すなわち、足ｆを冷却する冷気供給源として機能させることができる。
【００８１】
このような蓄熱材３の材料の一例として、例えば、非特許文献２に記載されているようなノルマルパラフィン等のパラフィン系の潜熱蓄熱材を挙げることができる。
【００８２】
通常、人体の快適温度は、体温よりも１０℃ほど低い２５℃前後であると言われている。
【００８３】
図７は、非特許文献２に記載の、融点２５℃のノルマルパラフィンエマルションのＤＳＣ測定結果を表す図である。
【００８４】
図８は、非特許文献２に記載の、融点２５℃のノルマルパラフィンエマルションの保冷効果を示す図である。
【００８５】
図８は、ノルマルパラフィンエマルションと、アクリルポリマーのエマルション型増粘剤とをポリエチレン製の袋に３００ｇ充填し、密閉した後、５℃の冷蔵庫で十分に冷却した後、３５℃環境へ移動させたときの、ノルマルパラフィンエマルションの温度変化を追跡したグラフである。
【００８６】
このように、蓄熱材３を融点２５℃のノルマルパラフィン等のパラフィン系の潜熱蓄熱材から構成することで、２５℃前後の熱を、外部に長時間供給することが可能な蓄熱体１を得ることができる。すなわち、蓄熱体１を冷却用の熱源（冷気供給源）として使用することができる。
【００８７】
このため、蓄熱体１を容器１１の凹部内に複数個配することで、その容器１１の凹部に挿入されたユーザの足ｆから長時間熱を奪うことができる。すなわち、蓄熱体１から足ｆへ、人体が快適と感じる２５℃前後の熱を供給することができる。
【００８８】
さらに、この蓄熱体１は、第２の被覆部材４内に中空部５が設けられ、その中空部５には蓄熱材３が配されていないことで軽量化がなされている。このため、複数の蓄熱体１から足ｆへ加わる負荷は少なくて済み、ユーザへの負荷を抑制することができる。
【００８９】
なお、蓄熱材３の材質は他にも様々な潜熱型蓄熱材料を用いることができ、蓄熱体１の用途に応じて、相変化する温度が最適な潜熱型蓄熱材料を用いればよい。蓄熱材３として、非特許文献３に記載されているような、さまざまな、融点温度を有する潜熱蓄熱材を用いることができる。
【００９０】
（蓄熱体１の変形例）
次に、図９、図１５、図１６を用いて蓄熱体１の変形例について説明する。
【００９１】
図９は、本実施の形態に係る蓄熱体６の構成を表す断面図である。
【００９２】
蓄熱体６は、蓄熱体１の中空部５に換えて、断熱体８が配されている点で相違する。蓄熱体６の他の構成は蓄熱体１と同様である。
【００９３】
この断熱体（断熱材、構造体）８は、蓄熱材３より比重が軽い構造体である。断熱体８は一例として合成樹脂発泡体からなる。
【００９４】
このように、中空形状である第２の被覆部材４の内部に断熱体８が充填して配されていることで、蓄熱体１の重量増加を抑制しつつ、第１の被覆部材２を介して、蓄熱材３から外部に効率よく熱を供給することができる。
【００９５】
また、この断熱体８は第２の被覆部材４の形状を保持することで、第２の被覆部材４内側から蓄熱体１の形状変化を防止する。
【００９６】
このため、軽量化しつつ、形状変化が少なく使い勝手が良い蓄熱体６を構成することができる。
【００９７】
このように、第２の被覆部材４の内部に断熱体８を設けることで、蓄熱体６の強度を増すことができる。
【００９８】
そして、断熱体８の硬さを変えることで、蓄熱体６の硬さを変化させることができる。これにより、ユーザの足ｆへのマッサージ効果を向上させることもでき、ユーザの健康を促進させることも可能である。
【００９９】
また、蓄熱体は、例えば、図１５、図１６に示すように、第１の被覆部材２内部の第２の被覆部材４を省略した構成としてもよい。
【０１００】
図１５は、本発明の一実施形態に係る変形例の蓄熱体の構成を表す断面図である。図１５に示すように、蓄熱体１ｄは、中空形状を有する第１の被覆部材２と、第１の被覆部材２の内部に配されている蓄熱材３とを備えている。第１の被覆部材２内は中空部５となっており、蓄熱材３より比重が小さい空気が充填されている。
【０１０１】
蓄熱体１ｄでは、第１の被覆部材２がある程度形状を保持できる材質からなる。そして例えば、蓄熱材３は液体であり、蓄熱体１ｄ内の底面に溜まっている。
【０１０２】
図１６は、本発明の一実施形態に係る変形例の蓄熱体の構成を表す断面図である。図１６に示すように、蓄熱体１ｅは、中空形状を有する第１の被覆部材２と、第１の被覆部材２の内部に配されている蓄熱材３とを備えている。
【０１０３】
蓄熱体１ｅでは、蓄熱材３は、融解してもゲル状となる潜熱蓄熱材からなり、第１の被覆部材２の内部の裏面に沿って配されている。そして、蓄熱材３の内部には第２の被覆部材は配されていない。蓄熱材３の内は中空部５となっており、蓄熱材３より比重が小さい空気が充填されている。このように、蓄熱材３を、融解してもゲル状となる蓄熱材から構成することで、内部の第２の被覆部材がなくても、蓄熱体１ｅの形状を保持することができる。また、第１の被覆部材２の内部に、空気や蓄熱材３を充填したりするための注入口２ａを第１の被覆部材２に設けてもよい。
【０１０４】
蓄熱体１ｄ・１ｅのように、第１の被覆部材２の内部に第２の被覆部材を配さなくても、中空形状を有する第１の被覆部材２と、第１の被覆部材２の内部の一部に配されている蓄熱材とを備えているだけでもよい。
【０１０５】
蓄熱体１ｄ・１ｅによると、中空形状を有する第１の被覆部材２内に蓄熱材３が配されているため、蓄熱体１ｄ・１ｅを熱源として機能させることができる。
【０１０６】
さらに、蓄熱体１ｄ・１ｅによると、蓄熱材３は、中空形状を有する第１の被覆部材２の内部の一部に配されているため、蓄熱材３が第１の被覆部材２の内部の全てに充填されている場合と比べて蓄熱材３の体積を少なくすることができ、重量増加の抑制が可能な蓄熱体を得ることができる。
〔実施形態２〕
本発明の第２の実施形態について、図１０〜図１２に基づいて説明すれば、以下のとおりである。なお、説明の便宜上、前記実施形態１にて説明した図面と同じ機能を有する部材については、同じ符号を付記し、その説明を省略する。
【０１０７】
図１０は、第２の実施の形態に係る堀型温度調整装置３０の構成を概略的に説明する図である。
【０１０８】
堀型温度調整装置（温度調整装置）３０は、容器３１と、複数の蓄熱体１とを備えている。容器３１は、内部に構造体３２が配されている点で容器１１と相違する。容器３１の他の構成は容器１１と同様である。なお、容器３１上に蓋１４を配してもよい。
【０１０９】
構造体３２は、容器３１の凹部内の底面のうちの一部であって、底面の中央近傍に配されている。
【０１１０】
構造体３２は、一例として、断面が台形形状となっている。すなわち、構造体３２は、上面３２ａより、容器３１の凹部内の底面と接触する下面３２ｂの方が面積が広い。そして、側面３２ｃは、上面３２ａから下面３２ｂへ向うにつれ、互いの距離が離れるように傾斜している。
【０１１１】
そして、複数の蓄熱体１は、容器３１の凹部内であって、構造体３２の外側周囲に配されている。
【０１１２】
例えば、容器３１の縦×横の長さを１００ｃｍ×１００ｃｍとし、高さ４０ｃｍまで蓄熱体１を充填する場合、構造体３２の高さｈを４０ｃｍ程度とする。これにより、複数の蓄熱体１は、容器３１の凹部内であって、構造体３２の外側周囲に配される。
【０１１３】
容器３１によると、複数の蓄熱体１は、構造体３２によって、容器３１の凹部内の限られた空間に配されることになる。このため、容器３１の凹部内の充填に必要な複数の蓄熱体１の個数を低減することができる。蓄熱体１の個数が減る事で、堀型温度調整装置３０の扱いが容易になったり、コストを削減できる。また、逆に、蓄熱体１が同じ個数であっても、容器３１の凹部内での単位体積あたりの蓄熱体１の数が増え、より高い位置まで足ｆを温める事も可能である。
【０１１４】
また、この構造体３２の形状や蓄熱体１の配置位置は他にさまざまに変形することができる。
【０１１５】
図１１の（ａ）は柱状の構造体４２とその外部に蓄熱体１が配されている容器４１を有する堀型温度調整装置４０の構造を表す断面図であり、（ｂ）は柱状の構造体５２とその内部に蓄熱体１が配されている容器５１を有する堀型温度調整装置５０の構造を表す断面図であり、
図１１の（ａ）に示す堀型温度調整装置（温度調整装置）４０は、容器４１と、複数の蓄熱体１とを備えている。容器４１は、容器３１と、内部の構造体４２の形状が異なる点で相違する。容器４１の他の構成は容器３１と同様である。
【０１１６】
構造体４２は、容器４１の凹部内の底面のうちの一部であって、底面の中央近傍に配されている。
【０１１７】
構造体４２は、支持部４３と、支持部４３に積載された積載部４４とを備えている。支持部４３及び積載部４４は、例えば円柱等の柱状形状を有する。支持部４３及び積載部４４の、容器４１の凹部内の底面に対して平行な断面の面積は、支持部４３より積載部４４の方が大きい。
【０１１８】
支持部４３の下面は容器４１の凹部内の底面と接触し、支持部４３の上面は積載部４４の下面と接触することで積載部４４を下側から支持している。積載部４４の上面は露出している。構造体４２の高さは、容器４１の凹部の深さと同程度である。
【０１１９】
構造体４２の側面４２ａと容器４１内の凹部を構成する側面４１ａとの間や、積載部４４の下面と容器４１内の凹部を構成する底面４１ｂとの間には隙間が形成されている。
【０１２０】
そして、複数の蓄熱体１は、容器４１の凹部内であって、構造体４２の外側周囲に配されている。すなわち、複数の蓄熱体１は、側面４２ａと側面４１ａとの間や、積載部４４の下面と底面４１ｂとの間の隙間に配されている。そして、ユーザは足ｆを、その隙間部分に挿入する。
【０１２１】
このように容器４１によると、容器４１の充填に必要な複数の蓄熱体１の個数を減らすことができる。
【０１２２】
図１１の（ｂ）に示す堀型温度調整装置（温度調整装置）５０は、容器５１と、複数の蓄熱体１とを備えている。容器５１は、構造体５２の内部が中空となっており、その構造体５２内に複数の蓄熱体１が配されている点で、容器４１と相違する。容器５１の他の構成は容器４１と同様である。
【０１２３】
構造体５２は、容器５１の凹部内の底面のうちの一部であって、底面の中央近傍に配されている。
【０１２４】
構造体５２は、支持部５３と、支持部５３に積載された積載部５４とを備えている。支持部５３及び積載部５４は、例えば円柱等の柱状形状を有する。そして内部が中空となっている。
【０１２５】
支持部５３及び積載部５４の、容器５１の凹部内の底面に対して平行な断面の面積は、支持部５３より積載部５４の方が大きい。
【０１２６】
支持部５３の下部は容器５１の凹部内の底面と接触し、支持部５３の上部は積載部５４の下部と接触することで積載部５４を下側から支持している。積載部５４の上部は一面が開口していてもよいし、平面で覆われていてもよい。構造体５２の高さは、容器５１の凹部の深さと同程度である。
【０１２７】
構造体５２の側面５２ａと容器５１内の凹部を構成する側面５１ａとの間や、積載部５４の下部と容器５１内の凹部を構成する底面５１ｂとの間には隙間が形成されている。ユーザは、この隙間に足を挿入する。
【０１２８】
そして、複数の蓄熱体１は、容器５１の凹部内であって、構造体５２の内部に配されている。
【０１２９】
これにより、蓄熱体１から、構造体５２を介してユーザの足ｆへと熱を供給することができると共に、容器５１の充填に必要な複数の蓄熱体１の個数を減らすことができる。
【０１３０】
また、容器５１によると、足ｆを抜き差しする隙間部分に蓄熱体１が配されていないため、ユーザは蓄熱体１の重さを感じることを完全に防止することができる。
【０１３１】
さらに、図１２に示すように、容器内に充填する複数の蓄熱体の個数を他の方法により変更したり、蓄熱体の体積や形状を変更したりしてもよい。
【０１３２】
図１２の（ａ）は容器１１の凹部内に複数の蓄熱体１に加え複数の断熱体７が充填された堀型温度調整装置６０を表す断面図であり、（ｂ）は容器１１内に複数の異なる体積を有する蓄熱体が充填された堀型温度調整装置７０を表す断面図であり、（ｃ）は容器１１内に複数の異なる形状を有する蓄熱体が充填された堀型温度調整装置８０を表す断面図である。
【０１３３】
図１２の（ａ）に示すように、堀型温度調整装置（温度調整装置）６０は、容器１１と、複数の蓄熱体１と、複数の断熱体（断熱材）７とを備えている。
【０１３４】
堀型温度調整装置６０では、容器１１の凹部内に、複数の蓄熱体１と、複数の断熱体７とが充填されている。
【０１３５】
断熱体８は、一例として、合成樹脂発泡材料からなる。また、堀型温度調整装置６０では、容器１１内の複数の断熱体７及び複数の蓄熱体１は、同一の形状および同一の体積である。
【０１３６】
このように、容器１１内に、複数の蓄熱体１に加え、複数の断熱体７を混ぜて配することで、容器１１の凹部内の充填される蓄熱体１の個数を減らすことできる。このため、容器１１の凹部内に挿入された足ｆへ加わる負荷を低減することができ、ユーザへの負荷を低減することができる。また、複数の断熱体７により、容器１１の凹部内を保温することもができる。
【０１３７】
例えば、断熱体７を半径５ｃｍとすると、約２ｇ程度となる。容器１１内の複数の蓄熱体１を半分、断熱体７に置き換えるとすると、堀型温度調整装置１０より重さが半減する。ただし、この場合、堀型温度調整装置６０は、堀型温度調整装置１０より蓄熱性能は低下することになる。
【０１３８】
図１２の（ｂ）に示すように、堀型温度調整装置（温度調整装置）７０は、容器１１と、複数の蓄熱体１と、蓄熱体１より体積が大きい複数の蓄熱体１ａと、蓄熱体１より体積が小さい複数の蓄熱体１ｂとを備えている。
【０１３９】
複数の蓄熱体１・１ａ・１ｂは、容器１１の凹部内に充填されている。複数の蓄熱体１・１ａ・１ｂは、何れも球形状である。
【０１４０】
このように、蓄熱体１より体積が小さい蓄熱体１ｂを容器１１の凹部内に充填することで、容器１１内に挿入された足ｆのマッサージ効果を高めることができる。
【０１４１】
また、蓄熱体１より体積が大きい蓄熱体１ａを容器１１の凹部内に充填することで、容器１１の凹部内を充填させるために必要な蓄熱体の個数を低減することができ、取扱い易い堀型温度調整装置７０を得ることができる。
【０１４２】
図１２の（ｃ）に示すように、堀型温度調整装置（温度調整装置）８０は、容器１１と、複数の蓄熱体１と、蓄熱体１とは形状が異なる複数の蓄熱体１ｃとを備えている。複数の蓄熱体１・１ｃは、容器１１の凹部内に充填されている。
【０１４３】
蓄熱体１ｃは、表面のうち少なくと一部が、球形状より表面の湾曲がなだらかとなっている形状を有する。蓄熱体１ｃの形状は一例として、楕円体である。または、蓄熱体１ｃは、直方体や立方体のように、表面のうち少なくと一部が、平面を有する形状であってもよい。
【０１４４】
このように、蓄熱体１ｃは、蓄熱体が球形状の場合と比べて、球形状より表面の湾曲がなだらかであるか、又は平面となっている形状を有するため、その表面と、ユーザの足ｆと接触面積が大きくなる。このため、より効率よく、足ｆを加温又は冷却することができる。
【０１４５】
また、蓄熱体１ｃの形状によると、球形状と比べて中心までの距離が減少するため、熱を貯め易くなる。
【０１４６】
なお、図１２の（ａ）（ｂ）（ｃ）を用いて説明した堀型温度調整装置６０・７０・８０の構成は一例であり、互いに組み合わせてもよい。
【０１４７】
例えば、蓄熱体１・１ａ・１ｂ・１ｃ及び断熱体７を同じ容器内で組み合わせて使用してもよいし、蓄熱体１・１ａ・１ｂ・１ｃのうち少なくとも一種類の蓄熱体を複数個、容器内に配してもよいし、その蓄熱体１・１ａ・１ｂ・１ｃのうちの少なくとも一種類の蓄熱体複数個と断熱体７複数個とを組み合わせて同じ容器内に配してもよい。さらに、容器上に蓋１４を配してもよい。
【０１４８】
〔実施形態３〕
本発明の他の実施形態について、図１３〜図１４に基づいて説明すれば、以下のとおりである。なお、説明の便宜上、前記実施形態１、２にて説明した図面と同じ機能を有する部材については、同じ符号を付記し、その説明を省略する。
【０１４９】
図１３は、第３の実施の形態に係る太陽熱を利用する堀型温度調整装置１００の構成を概略的に表す図である。
【０１５０】
堀型温度調整装置（温度調整装置）１００は、集熱板１０１と、送風機１０２と、配管１０３と、容器１１１と、複数の蓄熱体１とを備えている。
【０１５１】
容器１１１内部は、側壁及び底部で囲まれることで凹部が形成されている。容器１１１は家ＨＳの床ＦＬの表面から凹形状となるように配されている。容器１１１の凹部内には、複数の蓄熱体１が充填されている。
【０１５２】
容器１１１の側壁及び底部の内部には断熱材１１３が配されている。但し、容器１１１の側壁及び底部の内部には、熱源１２のような熱源は配されていない。容器１１１の凹部を構成する内側の側面１１１ａには、複数の送風口１１１ｃが形成されている。
【０１５３】
集熱板１０１は、太陽光の熱を集熱するための集熱板である。集熱板１０１は、家ＨＳの屋根に配されている。集熱板１０１は、太陽光の熱を集めることができればよく、一般的な太陽光の集熱板を用いることができる。
【０１５４】
送風機１０２及び配管１０３は家ＨＳの室内又は室外に設けられている。送風機１０２は配管１０３内の空気を送風するためポンプである。送風機１０２は配管１０３の経路中に配されている。
【０１５５】
配管１０３は集熱板１０１と容器１１１の凹部とを接続する配管である。配管１０３は一方の端部が集熱板１０１と接続されており、途中で分岐し、分岐した配管１０３はそれぞれは容器１１１の側壁を貫通し、分岐した配管１０３の他方の端部それぞれは容器１１１の側面１１１ａに設けられた複数の送風口１１１ｃそれぞれと接続されている。
【０１５６】
堀型温度調整装置１００によると、集熱板１０１で集められた熱により配管１０３内の空気が温められる。そして、送風機１０２が稼働することで、配管１０３内の温められた空気は配管１０３内を通って、容器１１１の側面１１１ａに設けられた複数の送風口１１１ｃから容器１１１の凹部内に供給される。
【０１５７】
このように、再生可能エネルギーである太陽光を利用することで、堀型温度調整装置１００は、熱源１２が不要であるため、低消費電力化をすることができる。
【０１５８】
図１４は、第３の実施の形態に係る地熱を利用する堀型温度調整装置１２０の構成を概略的に表す図である。
【０１５９】
堀型温度調整装置（温度調整装置）１２０は、容器１１１と、複数の蓄熱体１と、送風機１２２と、配管１２３・１２４・１２５・１２６とを備えている。
【０１６０】
家の側壁には外気を配管１２３内に取り込むための吸気口１２１が形成されている。
【０１６１】
送風機１２２は配管１２３内の空気を送風するためポンプである。送風機１２２は配管１２３の経路中に配されている。
【０１６２】
配管１２３は外気を取り込み、その取り込んだ外気である空気を配管１２４へ供給するための配管である。配管１２３の一方の端部は吸気口１２１と接続されており、配管１２３の他方の端部は配管１２４の一方の端部と接続されている。
【０１６３】
配管１２４は、配管１２３から供給されてきた空気を、配管１２５のそれぞれへ供給すると共に、配管１２５のそれぞれ内で加温又は冷却された空気を配管１２６へ供給するための配管である。配管１２４は地中に水平な方向に延設されている。
【０１６４】
配管１２４の一方の端部は配管１２３の他方の端部と接続されており、配管１２４の他方の端部は配管１２６の一方の端部と接続されている。また、配管１２４は経路で複数の配管１２５と接続されている。
【０１６５】
配管（第１の配管）１２５は、地中に延設され、当該地中の温度によって、内部の空気を加温又は冷却するための配管である。配管１２５は複数配されており、延伸方向が鉛直方向と平行となるように地中に延設されている。配管１２５の上部は配管１２４と接続されている。
【０１６６】
配管（第２の配管）１２６は、配管１２４を介して複数の配管１２５と容器１１１の凹部とを接続するための配管である。配管１２６の一方の端部は配管１２４の他方の端部と接続されており、配管１２６は経路中で分岐し、分岐した配管１２６それぞれは容器１１１の側壁を貫通し、分岐した配管１２６の他方の端部それぞれは容器１１１の側面１１１ａに設けられた複数の送風口１１１ｃそれぞれと接続されている。
【０１６７】
堀型温度調整装置１２０によると、送風機１２２が稼働することで、吸気口１２１から外気が配管１２３内に流入し、その空気が配管１２３・１２４内を通って、複数の配管１２５それぞれへ供給される。
【０１６８】
ここで、地中は、比較的、地表より温度が一定に安定している。このため、複数の配管１２５のそれぞれに供給された空気は、地中の温度により、冷却又は加温される。
【０１６９】
そして、複数の配管１２５のそれぞれ内で、地中の温度により冷却又は加温された空気は、複数の配管１２５から配管１２４及び配管１２６内を通り、容器１１１の側面１１１ａに設けられた複数の送風口１１１ｃから容器１１１の凹部内に供給される。
【０１７０】
このように、再生可能エネルギーである地熱を利用することで、堀型温度調整装置１２０は、熱源１２が不要であるため、低消費電力化をすることができる。
【０１７１】
なお、図１３や図１４に示した容器１１１内で、蓄熱体１・１ａ・１ｂ・１ｃ及び断熱体７を組み合わせて使用してもよいし、蓄熱体１・１ａ・１ｂ・１ｃのうち少なくとも一種類の蓄熱体を複数個、容器１１１内に配してもよいし、その蓄熱体１・１ａ・１ｂ・１ｃのうちの少なくとも一種類の蓄熱体複数個と断熱体７複数個とを組み合わせて容器１１１内に配してもよい。さらに、容器１１１上に蓋１４を配してもよい。
【０１７２】
〔まとめ〕
本発明の一態様に係る蓄熱体は、中空形状を有する第１の被覆部材と、当該第１の被覆部材の内部の一部に配されている蓄熱材とを備えている。
【０１７３】
上記構成によると、中空形状を有する第１の被覆部材内に上記蓄熱材が配されているため、上記蓄熱体を熱源として機能させることができる。
【０１７４】
さらに、上記構成によると、上記蓄熱材は、中空形状を有する第１の被覆部材の内部の一部に配されている。このため、上記蓄熱材が、第１の被覆部材の内部の全てに充填されている場合と比べて上記蓄熱材の体積を少なくすることができ、重量増加の抑制が可能な蓄熱体を得ることができる。
【０１７５】
本発明の一態様に係る蓄熱体は、上記第１の被覆部材の内部に配され上記第１の被覆部材の裏面を覆う第２の被覆部材を備え、上記蓄熱材は、上記第１の被覆部材と上記第２の被覆部材との間に充填されている。
【０１７６】
上記構成によると、上記蓄熱材は、上記第１の被覆部材と、当該第１の被覆部材の裏面を覆う第２の被覆部材との間に充填されており、当該第２の被覆部材の内部には、上記蓄熱材とは異なる部材を配するためのスペースを設けることができる。このため、上記第１の被覆部材の内部に配される上記蓄熱材の体積を少なくすることができ、重量増加の抑制が可能な蓄熱体を得ることができる。
【０１７７】
本発明の一態様に係る蓄熱体では、上記蓄熱材は潜熱蓄熱材であり、上記第２の被覆部材の内部に、上記蓄熱材より比重が軽い材質が充填されていることが好ましい。上記構成によると、上記蓄熱材は潜熱蓄熱材であるため、固体及び液体間の相変化する際の温度の熱を、長時間外部に供給、又は外部から奪うことができる。このため、上記蓄熱体を長時間、熱源として機能させることができる。さらに、上記蓄熱体の重量増加を抑制することができる。
【０１７８】
本発明の一態様に係る蓄熱体では、上記第２の被覆部材の内部は中空であってもよい。上記構成により、上記蓄熱体を軽量化することができる。
【０１７９】
本発明の一態様に係る蓄熱体では、上記第２の被覆部材は中空形状を有し、上記第２の被覆部材の内部には、上記第２の被覆部材の形状を保持し、上記蓄熱材より比重が軽い構造体が配されていてもよい。
【０１８０】
上記構成により、軽量化しつつ、形状変化が少なく使い勝手が良い上記蓄熱体を得ることができる。
【０１８１】
本発明の一態様に係る温度調整装置は、上記蓄熱体を複数個と、凹部を有し当該凹部に上記複数の蓄熱体が配された容器と、を備えていることが好ましい。
【０１８２】
上記構成によると、上記容器の上記凹部に挿入された、例えばユーザの足等の対象物に、上記複数の蓄熱体が直接接触することになる。このように、上記対象物の上記複数の蓄熱体との接触面積が大きいため、十分に、上記対象物を加温又は冷却することができる。
【０１８３】
さらに、上記複数の蓄熱体は、それぞれ重量増加が抑制された構成のため、上記対象物に加わる負荷は少なくて済み、ユーザへの負荷を抑制することができる。
【０１８４】
本発明の一態様に係る温度調整装置では、上記容器は熱源を備え、上記蓄熱材は、固体と液体との間で相変化する際の温度により、熱を人体に供給可能な材料からなってもよい。
【０１８５】
上記構成により、上記複数の蓄熱体を、ユーザの足等の対象物に熱を供給する熱源として機能させることができる。このため、上記蓄熱体から、十分な熱量をユーザに供給することができる。また、上記熱源を備えることで、当該熱源からの熱を、上記蓄熱体の上記蓄熱材へ供給することができるため、さらに長時間、上記蓄熱体から上記ユーザへ熱の供給が可能となる。
【０１８６】
本発明の一態様に係る温度調整装置では、上記蓄熱材は、固体と液体との間で相変化する際の温度により、人体から熱を奪うことが可能な材料からなってもよい。
【０１８７】
上記構成により、上記複数の蓄熱体を、ユーザの足等の対象物から熱を奪う熱源として機能させることができる。すなわち、上記複数の蓄熱体は、上記対象物を冷却する冷気供給源として機能させることができる。
【０１８８】
本発明の一態様に係る温度調整装置では、上記容器の上記凹部内の底面に構造体が配されており、上記複数の蓄熱体は上記構造体の外部又は内部の何れかに配されていてもよい。
【０１８９】
上記構成により、上記容器の上記凹部内の複数の蓄熱体は、上記構造体によって限られた領域内に配されることになる。このため、上記容器の上記凹部内の充填に必要な複数の蓄熱体の個数を低減することができる。これにより、上記容器の上記凹部内に挿入された上記対象物に対する負荷を低減することができるため、ユーザへの負荷を低減することができる。
【０１９０】
本発明の一態様に係る温度調整装置では、上記複数の蓄熱体は、同一の体積であり、球形状であってもよい。上記構成によると、上記複数の蓄熱体間に十分な隙間を形成することができる。このため、上記容器の上記凹部内に挿入された上記対象物に対する負荷を低減することができ、この結果、ユーザへの負荷を低減することができる。
【０１９１】
本発明の一態様に係る温度調整装置では、上記容器の上記凹部内に、複数の断熱材が配されていてもよい。上記構成により、上記容器の上記凹部内の充填に必要な複数の蓄熱体の個数を低減することができる。このため、ユーザへの負荷を低減することができる。また、複数の断熱材により、上記容器の上記凹部内を保温することができる。
【０１９２】
本発明の一態様に係る温度調整装置では、上記容器の上記凹部の少なくとも一部を覆うための、断熱材を有する蓋を備えていることが好ましい。上記構成により、上記容器の上記凹部内の蓄熱速度を向上させることができる。
【０１９３】
本発明の一態様に係る温度調整装置では、上記複数の蓄熱体は、第１の体積からなる蓄熱体と、当該第１の体積とは異なる第２の体積からなる蓄熱体とを備えていてもよい。上記第２の体積が上記第１の体積より小さい場合、当該第２の体積からなる蓄熱体により、マッサージ効果を高めることができる。一方、上記第２の体積が上記第１の体積より大きい場合、当該第２の体積からなる蓄熱体により、上記容器の上記凹部内の充填に必要な複数の蓄熱体の個数を低減することができる。このため、取扱い易い温度調整装置を得ることができる。
【０１９４】
本発明の一態様に係る温度調整装置では、上記複数の蓄熱体は、表面のうち少なくとも一部が、球形状より表面の湾曲がなだらかであるか、又は平面となっている形状を有する蓄熱体を少なくとも備えていてもよい。上記構成によると、上記蓄熱体が球形状の場合と比べて、球形状より表面の湾曲がなだらかであるか、又は平面となっている形状である上記表面の一部と、上記対象物との接触面積が大きくなる。このため、より効率よく、上記対象物を加温又は冷却することができる。
【０１９５】
本発明の一態様に係る温度調整装置では、太陽光の熱を集める集熱板と、上記集熱板と上記容器の上記凹部とを接続する配管と、を備えていてもよい。
【０１９６】
上記構成により、上記集熱板により集められた熱を、上記配管を通して上記容器の上記凹部へ供給することができる。このため、上記温度調整装置の低消費電力化することができる。
【０１９７】
本発明の一態様に係る温度調整装置では、地中に延設され、当該地中の温度によって、内部の空気を加温又は冷却するための第１の配管と、上記第１の配管と、上記容器の上記凹部とを接続する第２の配管とを備えていてもよい。
【０１９８】
上記構成により、地中の温度によって加温又は冷却された空気を、上記第１の配管から上記第２の配管を通して、上記容器の上記凹部へ供給することができる。このため、上記温度調整装置の低消費電力化することができる。
【０１９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２００】
本発明は、蓄熱体や当該蓄熱体を備えた温度調整装置に利用することができる。
【符号の説明】
【０２０１】
１・１ａ・１ｂ・１ｃ・１ｄ・１ｅ・６  蓄熱体
２  第１の被覆部材
３  蓄熱材（蓄熱材）
４  第２の被覆部材
５  中空部（断熱材）
７  断熱体（断熱材）
８  断熱体（断熱材、構造体）
１０・３０・４０・５０・６０・７０・８０  堀型温度調整装置（温度調整装置）
１１・３１・４１・５１  容器
１２  熱源
１３  断熱材
１４  蓋
２０  蓄熱ユニット
３２・４２・５２  構造体
１００  堀型温度調整装置（温度調整装置）
１０１  集熱板
１０２  送風機
１０３  配管
１１１  容器
１１１ｃ  送風口
１１３  断熱材
１２０  堀型温度調整装置（温度調整装置）
１２１  吸気口
１２２  送風機
１２３・１２４  配管
１２５  配管（第１の配管）
１２６  配管（第２の配管）
【図１】
2014066415.tif 000003
【図２】
2014066415.tif 000004
【図３】
2014066415.tif 000005
【図４】
2014066415.tif 000006
【図５】
2014066415.tif 000007
【図６】
2014066415.tif 000008
【図７】
2014066415.tif 000009
【図８】
2014066415.tif 000010
【図９】
2014066415.tif 000011
【図１０】
2014066415.tif 000012
【図１１】
2014066415.tif 000013
【図１２】
2014066415.tif 000014
【図１３】
2014066415.tif 000015
【図１４】
2014066415.tif 000016
【図１５】
2014066415.tif 000017
【図１６】
2014066415.tif 000018